(57)【特許請求の範囲】
【請求項１】
扁平四角状ケース（１）を、その厚み方向の中程で２分割し、その一方のケース片（１０ａ）を蓋、他方を収納用ケース片（１０ｂ）とし、その両ケース片（１０ａ、１０ｂ）を、その一側縁で屈曲可能に連結するとともに、他方側の縁を重ねて開閉可能とし、その両ケース片他方縁の一方に他方に向かうフック爪（２２）を設け、その両ケース片他方縁の他方には抜き差し自在のキー（２０）を設け、その差し込まれたキー（２０）に前記フック爪（２２）が係止され、そのキー（２０）を抜いて前記フック爪（２２）との係止を解除しない限り、両ケース片（１０ａ、１０ｂ）を開放できないディスクケースであって、
上記両ケース片（１０ａ、１０ｂ）他方縁の他方にその縁に沿って上記キー（２０）が抜き差しされる収納部（３０）を形成し、その収納部（３０）に、収納部（３０）に差し込まれたキー（２０）に係止してそのキー（２０）の引抜きを阻止する弾性爪片（３１）を設けるとともに、前記他方縁に沿って移動可能な磁性体製コロ（３２）を設け、前記弾性爪片（３１）は、その長さ方向がケース片他方縁に沿ってその一端が固定されて、その他端の爪（３１ａ）が前記キー（２０）の爪（２０ａ）に向かって接離可能となって、その両爪（２０ａ、３１ａ）が係止することによって、前記キー（２０）に弾性爪片（３１）が係止するようになっており、
上記両爪（３１ａ、２０ａ）が係止した両ケース片（１０ａ、１０ｂ）のロック状態では、その係止でもって上記キー（２０）が引抜き不能となっているとともに、前記コロ（３２）は、前記弾性爪片（３１）の弾性力でもって上記移動方向の一方端に位置されており、
ケース外部からの磁力でもって上記コロ（３２）を上記移動方向の他方端に移動させ、そのコロ（３２）の移動に伴って上記弾性爪片（３１）の爪（３１ａ）をキー爪（２０ａ）との係止が解除される方向に反らせてその係止を解除するようにしたことを特徴とするディスクケース。
【請求項２】
上記キー（２０）の爪（２０ａ）とその爪（２０ａ）に係止する爪（３１ａ）を有する弾性爪片（３１）をそれぞれ二つ設けるとともに、その両爪（２０ａ、３１ａ）の係止を解除するコロ（３２）も２つ設け、その両コロ（３２、３２）の上記磁力による移動方向を逆方向としたことを特徴とする請求項１に記載のディスクケース。
【請求項３】
上記両ケース片（１０ａ、１０ｂ）の一側縁側の側壁（１１）を、一方のケース片（１０ｂ）にその一側縁全長に亘る薄肉部（１２ａ）でもって屈曲自在に連結した側壁片（１２ｂ）で構成し、他方のケース片（１０ａ）をその側壁片（１２ｂ）にピン（１３ｃ）によるヒンジ（１３）でもって屈曲自在に連結し、前記側壁片（１２ｂ）には前記一方のケース片（１０ｂ）の係止孔（１４）に係止してその側壁片（１２ｂ）を一方のケース片（１０ｂ）に固定する爪（１５）を設けたことを特徴とする請求項１又は２に記載の樹脂成形製ディスクケース。
【請求項４】
上記側壁片（１２ｂ）の端に一方のケース片（１０ｂ）側に延びる立片（１６）を設け、上記両ケース片（１０ａ、１０ｂ）が面一にされた状態において、前記立片（１６）の高さ（Ｌ１）は、前記面一となった両ケース片（１０ａ、１０ｂ）の両端の高さ（Ｌ２、Ｌ３）と同じとなるように設定され、かつ、立片（１６）の先端縁には、立片（１６）の底縁の係止孔（１６ｂ）に嵌る突起（１６ａ）が設けられていることを特徴とする請求項３に記載の樹脂成形製ディスクケース。
【請求項５】
上記扁平四角状ケース（１）の両ケース片（１０ａ、１０ｂ）の少なくとも一方の内面の上記連結した一側縁又は他側縁側の両側に、側面視、前記ケース（１）内のディスク（Ｄ）に重なる突起（５０、５１）をそれぞれ設けて、その突起（５０、５１）によって、前記重なった両ケース片（１０ａ、１０ｂ）の側面の隙間から前記ディスク（Ｄ）が引き出されることを防止するようにしたことを特徴とする請求項１乃至４の何れかに記載のディスクケース。
【請求項６】
請求項１乃至５の何れかに記載のディスクケース（１）の上記両爪（２０ａ、３１ａ）の係止解除具（４０）であって、前記ディスクケース（１）の他方側の縁が摺動される面を有し、その面には、そのディスクケース（１）の移動を一定の方向に規制するガイド（４１）と、その一定の方向に向かって弾性爪片（３１)を反らせる方向に上記コロ（３２）を導く帯状の磁石（４２）とを設けた係止解除具。
【請求項７】
上記ディスクケース（１）の他方側の縁が摺動される面には、上記キー（２０）が係止して前記ディスクケース（１）の一定方向への移動につれて、そのキー（２０）を引抜く方向に移動させるガイド（４３）を設けたことを特徴とする請求項６に記載の係止解除具。
【請求項８】
上記帯状の磁石（４２）を設けた部分（４５）を上下動自在とすると共に、その部材（４５）を常時上記ディスクケース（１）の固定摺動面より上方に突出するように付勢する弾性体（４９）を設けて、前記ディスクケース（１）をガイド（４１）に沿って移動する際、前記弾性体（４９）に抗して前記部材（４５）を押し下げ、その弾性体（４９）でもって前記磁石（４２）を前記ディスクケース（１）に圧接するようにしたことを特徴とする請求項６又は７に記載の係止解除具。
【発明の詳細な説明】
【技術分野】
【０００１】
この発明は、コンピュータソフト、ＣＤ、ＤＶＤ等の記録媒体として用いられるディスクを保管するためのケース、特に、それらのディスクをレンタルするためのケースに関するものである。
【背景技術】
【０００２】
この種のディスクケースは、通常、扁平四角状体をして、その厚み方向の中程で２分割し、その一方のケース片を蓋、他方を収納用ケース片とし、その両ケース片を一側縁で屈曲可能に連結し、他方側の縁を重ねて適宜な手段によって開閉可能に係止したものが一般的である（特許文献１図１、図５  特許文献２図参照）。
【特許文献１】特開２００２−１５０４４４号公報
【０００３】
この一般的なディスクケースによって、その収納したディスクを貸し出す（レンタルする）場合、その収納したディスクをケースから抜き出して盗難されることを防止する必要がある。
このため、従来から、その盗難防止手段がそのケースに施されており、その手段は、２分した両ケース片の重ね合い縁（自由端縁）にキーを抜き差し可能に設け、そのキーは、貸し出しカウンターでのみ抜けるようにしたものが一般的である（特許文献１図１符号１０、図６符号３０等参照）。
【０００４】
そのキーによる盗難防止手段は、そのキーをケースに差込むと、キーにケースの一部が係止し、キーを引抜かないと、ケースを開放できないようにする（ロックする）とともに、キーの爪片とケースの爪を係止するようにしたものである（特許文献１段落００１９〜００２１参照）。
この盗難防止手段は、ケースを磁石上に載置することにより、その磁力でもって、キーの爪片を反らせてケース側爪との係止を解除する（特許文献１段落００２８、図７参照）。
【０００５】
また、従来のケースは樹脂成形品が主であり、その樹脂成形品における２分した両ケース片一側縁の屈曲可能にした連結構造は、その成形時、両ケース片の間にその一側縁全長に亘る薄肉部を形成し、その薄肉部でもって蓋の開閉を行なうようにしたり（特許文献１図１、図４参照）、ピンヒンジでもって蓋の開閉を行うようにしたりしている（特許文献２図５符号５参照）。
【特許文献２】特開２００７−２９７１０４号公報
【発明の開示】
【発明が解決しようとする課題】
【０００６】
上記従来の盗難防止手段は、磁石の吸引力によって、キー側の爪片を直接に反らせてケース側爪との係止を解除するものであるため、爪片を確実に反らせて係止を解除するには、強い吸引力、爪片の弾性度、反り方向と吸引力方向の関係等が適切である必要がある。このため、従来では、その解除が円滑に行われない場合が多かった。
【０００７】
また、この種のケースは、主に樹脂成形品であり、ケース製造者からディスク販売業者又はレンタル業者へは、蓋を閉じた状態（本願図１（ｂ）参照）で搬送したり、蓋側ケース片と収納側ケース片をフラット状（本願図４参照）にして搬送したりする。
その搬送時、通常、積み重ねた状態で梱包するが、その際、各ケースを傾くことなく積む必要があるとともに、各ケースが相互に動かないようにする必要がある。
【０００８】
この発明は、磁石による盗難防止解除を円滑に行い得るようにすることを第１の課題、ヒンジ部分の耐久性を向上させることを第２の課題、ディスク収納前のケースの梱包・搬送を円滑にすることを第３の課題、さらに、新たな盗難防止手段を提供することを第４の課題とする。
【課題を解決するための手段】
【０００９】
上記第１の課題を達成するために、この発明は、磁力による爪片の反りを、磁力によって移動するコロにより間接的に行うようにしたのである。
コロであれば、転動等してその移動は円滑であり、その移動に伴って爪片を反らせることができる。このコロによる爪片を間接的に反らせる作用は、磁力でもって爪片を直接的に反らせる作用に比べれば円滑である。このとき、弾性爪片が磁性体の場合、磁力線方向に弾性爪片のフラットな面が沿っていれば、その弾性爪片はその磁着の影響が少なく、円滑に反る。
【００１０】
この発明の構成としては、扁平四角状ケースを、その厚み方向の中程で２分割し、その一方のケース片を蓋、他方を収納用ケース片とし、その両ケース片を一側縁で屈曲可能に連結し、他方側の縁を重ねて開閉可能とし、その両ケース片他方縁の一方に他方に向かうフック爪を設け、その両ケース片他方縁の他方には抜き差し自在のキーを設け、その差し込まれたキーに前記フック爪が係止され、そのキーを抜いてフック爪との係止を解除しない限り、両ケース片を開放できないディスクケースにおいて、前記両ケース片の他方縁の他方にその縁に沿ってキーが抜き差しされる収納部を形成し、その収納部には、収納部に差し込まれたキーの爪に係止してそのキーの引抜きを阻止する弾性爪片を設けるとともに、前記縁に沿って移動可能な磁性体製コロを設け、前記弾性爪片は、その長さ方向がケース片他方縁に沿ってその一端が固定され、その他端の爪が前記キー爪に向かって接離可能となっており、前記両爪が係止した両ケース片のロック状態では、その係止でもってキーが引抜き不能となっているとともに、前記コロは、前記爪片の弾性力でもって移動方向の一方端に位置され、ケース外部からの磁力でもって上記コロを移動方向の他の端に移動させ、そのコロの移動に伴って弾性爪片をキー爪との係止が解除される方向に反らせてその係止を解除するようにした構成とすることができる。
【００１１】
この構成において、上記キーの爪とその爪に係止する爪を有する弾性爪片は、一対あれば、上記ロック機能を発揮するが、複数の対を設ければ、そのロック機能は向上する。その対を２つ設けた場合、すなわち、キーの爪と弾性爪片の爪の対を二つ設けた場合には、その両爪の係止を解除するコロも２つ設け、その両コロの上記磁力による移動方向を逆方向とすれば、その対のロック機能を左右対称にすることができ、両弾性爪片を一枚の弾性片によって構成できる等の利点がある（本願図４、図７参照）。
また、上記コロは原則移動可能な形状であれば、いずれでもよいが、移動方向に転動すれば、その移動がスムースであり、その形状として円柱、球等が考え得る。
【００１２】
上記第２の課題を達成するために、この発明は、両ケース片のヒンジ部分をピンヒンジと薄肉ヒンジで構成し、両ケース片の開閉はピンヒンジでもって行うようにしたのである。
薄肉ヒンジはコスト的に有利であるが、耐久性に問題があり、一方、ピンヒンジはコスト的に不利であるが、耐久性において薄肉ヒンジに比べて優れている。このため、レンタル用ディスクケースとしてはピンヒンジのものが好ましい。
【００１３】
この発明の構成としては、樹脂成形製扁平四角状ケースを、その厚み方向の中程で２分割し、その一方のケース片を蓋、他方を収納用ケース片とし、その両ケース片を一側縁で屈曲可能に連結し、他方側の縁を重ねて開閉可能とし、その両ケース片他方縁の一方に他方に向かうフック爪を設け、その両ケース片他方縁の他方には抜き差し自在のキーを設け、その差し込まれたキーに前記フック爪が係止され、そのキーを抜いてフック爪との係止を解除しない限り、両ケース片を開放できないディスクケースにおいて、前記両ケース片の一側縁側の側壁を、一方のケース片にその一側縁全長に亘る薄肉部でもって屈曲自在に連結した側壁片で構成し、他方のケース片をその側壁片にピンによるヒンジでもって屈曲自在に連結し、前記側壁片には前記一方のケース片の係止孔に係止してその側壁片を一方のケース片に固定する爪を設けた構成を採用することができる。
【００１４】
この構成においては、両ケース片でもってケースが構成された際（組立てられた際）、上記側壁の爪が一方のケース片の係止孔に係止して、その側壁を一方のケース片に固定したものとなるため、その側壁の強度を高めることができる。このようにすれば、薄肉ヒンジは組立て時のみに使用し、組立て後には、その爪の係止によって、そのヒンジ作用がロックされる。このため、薄肉であっても、その損傷は少なく、ヒンジ部の耐久性を向上させることができる。
【００１５】
上記第３の課題を達成するために、この発明は、両ケース片の連結側の側壁をなす片に立片を設け、両ケース片を開放して面一（蓋側ケース片と収納側ケース片がフラット状）として積み重ねる際、その立片を側壁における支えとするようにしたのである。
この立片があれば、両ケース片を開放して面一にした時、そのケース全体両端に位置する突出部分とその立片とを同一高さとすれば、各ケースを傾くことなく積み重ねて梱包することができる（本願図１１参照）。
【００１６】
この発明の構成としては、樹脂成形製扁平四角状ケースを、その厚み方向の中程で２分割し、その一方のケース片を蓋、他方を収納用ケース片とし、その両ケース片を一側縁で屈曲可能に連結し、他方側の縁を重ねて開閉可能とし、その両ケース片他方縁の一方に他方に向かうフック爪を設け、その両ケース片他方縁の他方には抜き差し自在のキーを設け、その差し込まれたキーに前記フック爪が係止され、そのキーを抜いてフック爪との係止を解除しない限り、両ケース片を開放できないディスクケースにおいて、前記両ケース片の連結側の側壁を、その両ケース片にヒンジを介して屈曲自在に連結し、その側壁に前記立片を設けて、前記両ケース片が面一にされた状態において、前記立片の高さは、前記面一となった両ケース片の両端の高さと同じとなるように設定された構成を採用することができる。
【００１７】
上記立片は、その先端縁に立片底縁の係止孔に嵌る突起を設けたものとすれば、両ケース片を開放した面一の状態で積み重ねた際、その突起と係止孔の係止（嵌合）により、重なった上下のケース相互の移動を阻止する（本願図１１参照）。
【００１８】
上記第４の課題を達成するために、この発明は、上記扁平四角状ケースの両ケース片の少なくとも一方の内面の連結した一側縁又は他側縁側の両側に、側面視、前記ケース内のディスクに重なる突起をそれぞれ設けることとしたのである。
近年、上記両ケース片を重ねたディスクの収納状態において、その重なった両ケース片の側面の隙間（両ケース片の界面）にドライバーを差込み、その隙間を拡げて、中のディスクを引き出す盗難が生じている。このため、両ケース片の少なくとも一方の内面の他方側縁側両側に、側面視、前記ケース内のディスクに重なる突起をそれぞれ設ければ、その隙間からディスクを引き出そうとしても、その突起にディスクが閊えて引き出すことができない。すなわち、盗難を防止し得る。
【００１９】
この発明の構成としては、扁平四角状ケースを、その厚み方向の中程で２分割し、その一方のケース片を蓋、他方を収納用ケース片とし、その両ケース片を一側縁で屈曲可能に連結し、他方側の縁を重ねて開閉可能とし、その両ケース片他方縁の一方に他方に向かうフック爪を設け、その両ケース片他方縁の他方には抜き差し自在のキーを設け、その差し込まれたキーに前記フック爪が係止され、そのキーを抜いてフック爪との係止を解除しない限り、両ケース片を開放できないディスクケースにおいて、前記扁平四角状ケースの両ケース片の少なくとも一方の内面の連結した一側縁又は他側縁側の両側に、側面視、前記ケース内のディスクに重なる突起をそれぞれ設けた構成を採用することができる。
【００２０】
上記突起の高さは、その盗難を防止し得る限りにおいて適宜に設定すれば良いが、両ケース片にそれぞれ突起を設け、その両ケース片の突起が相互に嵌り合うようにすれば、両ケース片の内面間に亘る柱が形成されることとなって、その閊えによる盗難防止作用が確実となる。
因みに、側縁の両側に突起を設けたのは、両ケース片の両側面のいずれの隙間からの引き出しも防止するためである。また、突起は、連結した一側縁又は自由端である他側縁のいずれに設けても良いが、一側縁側は、ヒンジがあるため、相互に嵌り合う場合には、その嵌り合いが斜め方向になって円滑な嵌り合いがなされ難いため、他側縁側が好ましい。他側縁側は、その嵌り合いが直線方向に近づくからである。
【００２１】
上記ケース外部から磁力を付与する手段は、手にもった種々の磁石でもって行なっても良いが、例えば、上記ディスクケースの他方側の縁が摺動される面を有し、その面には、そのディスクケースの移動を一定の方向に規制するガイドと、その一定の方向に向かって上記弾性爪片を反らせる方向に上記コロを導く帯状の磁石とを設けた係止解除具でもって行なうことができる。
この係止解除具は、その摺動面を、ガイドに倣ってディスクケースの他方側の縁を摺動させれば、その摺動（移動）に伴い磁石によってコロが上記弾性爪片を反らせる方向に移動し、その移動に伴う弾性爪片の反りによって、両爪の係止が解除される。
このとき、上記磁石の帯状は間欠的でも、連続したものでも良い。要は、コロを弾性爪片を反らせる方向に導く態様であれば、何れでも良い。
【００２２】
この構成の係止解除具において、そのディスクケースの他方側の縁が摺動される面には、上記キーが係止してディスクケースの一定方向への移動につれて、そのキーを引抜く方向に移動させるガイドを設ければ、両爪の係止解除とともに、キーを引き出すことができる。
【００２３】
また、上記帯状の磁石を設けた部分を上下動自在とすると共に、その可動部材を常時上記ディスクケースの固定摺動面より上方に突出するように付勢する弾性体を設けて、ディスクケースをガイドに沿って移動する際、前記弾性体に抗して可動部材を押し下げ、その弾性体でもって磁石をディスクケースに圧接するようにすれば、磁石とケースが確実に接して摺動するため、コロを円滑に移動させることができて、解錠作用が確実となる。
【００２４】
なお、第１〜４の手段はそれぞれを選択的に組み合わせることができる。例えば、第１の手段に第２、３の手段を組み合わせたり、第２の手段に第３、４の手段を組み合わせたりすることができる。
【発明の効果】
【００２５】
第１の課題を達成するこの発明は、コロの移動による解除のため、その作用が円滑である。
また、第２の課題を達成するこの発明は、ヒンジ部の耐久性が向上するため、ケースの開閉頻度の多い、例えば、レンタル用としてすぐれたものとなる。
さらに、第３の課題を達成するこの発明は、ディスク収納前の両ケース片を開放した面一の状態でのケースの梱包・搬送を円滑にすることができる。
第４の課題を達成するこの発明は、新規な盗難防止手段であって、この手段によって、ディスクの盗難をより確実に図ることができる。
【発明を実施するための最良の形態】
【００２６】
一実施形態のケース本体１０は、透明なプラスチックによって樹脂成形され、図１に示すように、蓋部分（蓋用ケース片）１０ａと底部分（収納用ケース片）１０ｂとから成る。その蓋部分１０ａと底部分１０ｂの一側縁側の側壁１１はその一の縁（図５（ｂ）において下側縁）が薄肉ヒンジ１２、他方の縁がピンヒンジ１３となっており、この両ヒンジ１２、１３でもって、蓋部分１０ａと底部分１０ｂは屈曲自在に連結されて開閉自在となっている。
【００２７】
その薄肉ヒンジ１２は、図５、図６に示すように、底部分１０ｂの底板の一側縁全長に亘る薄肉部１２ａでもって屈曲自在に連結した側壁片１２ｂで構成され、ピンヒンジ１３は、その側壁片１２ｂの一側のヒンジ（軸受）筒１３ａと蓋部分１０ａの底板のヒンジ筒１３ｂとにピン１３ｃを貫通して構成されている。
【００２８】
また、上記側壁片１２ｂには底部分（収納用ケース片）１０ｂの係止孔１４に係止してその側壁片１２ｂを底部分（収納用ケース片）１０ｂに固定する爪１５が設けられており、図５（ｂ）に示すように、この爪１５を係止孔１４に係止すると、側壁片１２ｂは底部分（収納用ケース片）１０ｂに一体となって薄肉ヒンジ１２はその作用を果たさなくなる。このため、蓋部分１０ａの開放は、耐久性のあるピンヒンジ１３でもって行なうこととなる。
【００２９】
上記側壁１１（側壁片１２ｂ）の両端には、底部分（一方のケース片）１０ｂ側に延びる立片１６が設けられ、図１１に示すように、蓋部分１０ａと底部分１０ｂが面一にされた（ケース１が開かれて平板状（フラット状）にされた）状態において、その立片１６の高さＬ１は、後記収納部３０及び蓋部分１０ａの一側両端の突片１７の高さＬ２、Ｌ３と同じとなるように設定されている。また、この立片１６の先端縁には、立片１６の底縁の係止孔１６ｂに嵌る突起１６ａが設けられている。
このため、図１１に示すように、このケース１を開放して面一（蓋部分１０ａと底部分１０ｂがフラット状）として積み重ねた際、その立片１６、突片１７及び収納部３０が同一高さ（Ｌ１＝Ｌ２＝Ｌ３）でもって上側のケース１を支える。このとき、突起１６ａが係止孔１６ｂに嵌って、上下のケース１、１の相互の移動を阻止する。
【００３０】
この所要高さ積み重ねられたケース１を梱包して、ディスクの収納業者、例えば、レンタル業者に搬送する。
業者は、梱包を解き、図１に示すように、底部分（収納ケース片）１０ｂにディスクＤを収納するとともに、後記のロック機構の解除手段によってキー２０を引抜いた後、蓋部分（蓋ケース片）１０ａを閉じ、キー２０を差込むことによってロックが掛けられる。
【００３１】
蓋部分１０ａと底部分１０ｂの他側縁には、棒状キー２０等によるロック機構が設けられている。このロック機構は、底部分１０ｂにその縁に沿ってキー２０が抜き差しされる収納部３０を形成し、その収納部３０には、収納部３０に差し込まれたキー２０の爪２０ａに係止してそのキー２０の引抜きを阻止する樹脂製弾性爪片３１を設けるとともに、前記縁に沿って移動可能な磁性体製コロ３２、３２を設けている。
その弾性爪片３１は、その長さ方向が底部分１０ｂ他方縁に沿って設けられ、その両端に爪３１ａを有し、その中程に対の突片（支持片）３１ｂ、３１ｂを有する。その突片３１ｂを後述の収納部３０の底部分３０ｂの隔壁３０ｈの間に嵌め込むことによってその底部分３０ｂに取り付けられる。
【００３２】
このように、この実施形態の弾性爪片３１は、上記解決手段で言う「弾性爪片の爪３１ａ」を二つ有して、その両爪３１ａ、３１ａを一片の弾性片（弾性爪片３１）で構成しており、収納部３０の底部分３０ｂに取り付けると、その中程の固定端（突片３１ｂを隔壁３０ｈに嵌めた点）が上記解決手段で言う「固定された一端」であり、両端が同「接離可能な他端」となる。
【００３３】
収納部３０は、図４に示すように、ケース本体１０（収納用ケース片１０ｂ）に連続して形成された底部分３０ｂとその底部分３０ｂに薄肉ヒンジを介して連結された蓋部分３０ａとからなり、その蓋部分３０ａを薄肉ヒンジを介し底部分３０ｂに係止することによって構成される。その両部分３０ａ、３０ｂは爪３０ｃと孔３０ｄの係止によって一体となる。
【００３４】
この収納部３０への弾性爪片３１及びコロ３２の組み込みは、図４に示す両部分３０ａ、３０ｂが開いた状態でそれら３１、３２を組み込み、その組み込んだ状態で、蓋部分３０ａを底部分３０ｂに被せて両者３０ａ、３０ｂを一体化する。
このとき、底部分３０ｂと蓋部分３０ａの一方の両側壁片３０ｅ、３０ｅが一枚板片状となり、蓋部分３０ａの立片３０ｆと底部分３０ｂの中間壁片３０ｇが一枚板片状となって、その両板片によって、弾性爪片３１及びコロ３２の位置決めとガイドがなされる。そのガイド空間は適宜に隔壁３０ｈにより区画されてコロ３２の移動範囲は規制される（図８ａ〜図８ｃ参照）。
【００３５】
また、蓋部分１０ａと底部分１０ｂが一体化された状態において、上記収納部３０にキー２０を差し込むと（図２（ａ）の矢印方向）、図７（ａ）〜（ｄ）に示すように、そのキー２０の爪２０ａが弾性爪片３１を反らせながら移動し、その爪３１ａを越えて係止するとともに、図２（ｂ）、図３、図７に示すように、ロック爪２１に蓋部分１０ｂ他側縁のフック爪２２が係止されて、蓋部分１０ａの開放が阻止される。また、キー２０の爪２０ａが弾性爪片３１の爪３１ａを越えて係止すると、弾性爪片３１はその弾性でもってコロ３２を弾性爪片３１の中央側に位置（移動）させる（図７（ｄ）、図８ａ（ｂ））。このため、キー２０を引く抜くことができず、蓋部分１０ａは開放できない。
【００３６】
なお、フック爪２２の形状・弾性度等を考慮することによって、キー２０を収納部３０に差込んだ状態で、フック爪２２を係止できるようにすることができる。しかし、この場合、キー２０が差込まれた状態において、蓋部分１０ａを強引に開くと、フック爪２２等が撓んで、ロック爪２１とフック爪２２の係止が外れる恐れがある。このため、図２（ｂ）に示すように、フック爪２２が撓んでもロック爪２１から外れないように、係止した状態では、フック爪２２とキー２０の側壁２３との間隙ｔをフック爪２２の爪部２２ａの突出長さ以下とするとよい。このようにすると、フック爪２２が後方に撓んでも、その爪部２２ａがロック爪２１から外れる恐れは殆どない。
【００３７】
上記両爪２０ａ、３１ａの係止解除具４０は、図８各図に示すように、平板材からなって、その表面に、そのディスクケース１の移動を一定の方向に規制するガイド４１と、その一定の方向に向かって上記弾性爪片３０を反らせる方向に導く帯状に並べた磁石４２・・と、ディスクケース１の前記一定方向への移動につれて、そのキー２０を引抜く方向に移動させるガイド４３を設けたものである。
【００３８】
また、この実施形態では、収納部３０の部分が途中で切り欠かれた形状とされており、その切り欠き凹部３３にキー２０の凸状把部２４が嵌り、この把部２４がガイド４３に係止する。そのガイド４３をなす凸部の他面は前記切り欠き凹部３３の側面が摺動するガイド４１となって、上記のガイド４１と同一の作用を行う。このため、このガイド４１、４１は一方のみでもよい。
【００３９】
この係止解除具４０の表面上に、図８ａから同図ｂさらに同図ｃに示すように、ディスクケース１を矢印のように移動させると、その移動につれて、帯状に並んだ磁石４２によってコロ３２が外側に移動し、その移動に伴って、弾性爪片３１が反ってその爪３１ａとキー２０の爪２０ａの係止が解除される（図９参照）。また、その移動とともに、ガイド４３によって、キー２０が引き出される（図８ａ（ｂ）→図８ｂ（ｂ）→図８ｃ（ｂ））。
【００４０】
このとき、弾性爪片３１が磁性体でできておれば、磁石４２の磁力線方向に弾性爪片３１のフラットな面が沿っているため（図８各（ａ）、（ｂ）に示すように、係止解除具４０に対してこのディスクケース１を立てた時、弾性爪片３１はそのフラット面は上下方向となるため）、弾性爪片３１はその磁石４２による吸着の影響が少なく、円滑に反る。
なお、図８ｃに示すように、両爪２０ａ、３１ａの係止が解除されるとともに、磁力が解除されれば、弾性爪片３１の弾性力でもって、コロ３２は中程に移動させられる（図８ａ（ｂ）のキー２０がない状態）。
【００４１】
両爪３１ａ、２０ａの係止が解除されてキー２０が引き出されれば、その把部２４を掴んで、キー２０をさらに引抜く。このとき、ガイド４３によって、キー２０が引き出されてしまう（収納部３０から抜け出る）まで案内することもできる。
また、キー爪２１とフック爪２２の係止解除により、蓋部分１０ａの開放は可能となって、その蓋部分１０ａを開けることによって、収納したディスクＤを取り出すことができる。そのとき、その蓋部分１０ａは、図１（ａ）に示すように、ピンヒンジ１３による開放となり、薄肉ヒンジ１２はその開放には参加しない。
【００４２】
この両爪３１ａ、２０ａの係止解除は、図１０に示すように、複数のディスクケース１を重ねて係止解除具４０上を移動させて行なうことができる。このため、レンタル店において、複数のディスクＤを貸し出す時に有効である。
【００４３】
図１２〜図１６にディスクケース１の他の実施形態を示し、上記と同一符号は同一物を示す。このディスクケース１は、盗難防止機構をさらに設けるとともに、立片１６を別の位置に設けたものである。その盗難防止機構は、蓋部分１０ａに設けた平面視小判形筒体５０と底部分１０ｂに設けた円筒体５１とから成り、底部分１０ｂに蓋部分１０ａを被せると、図１４に示すように、その筒体５０が円筒体５１に嵌って、前者５０の突起５０ａが後者５１の爪５１ａに係止する。
このとき、その嵌り合った筒体５０と円筒体５１（嵌り合った突起５０ａ、５０ｂ）は、ケース１の側面視（図１２（ａ）の側面視）、そのケース１内のディスクＤに重なるように設定されており、両ケース片１０ａ１０ｂの側面の隙間（両ケース片１０ａ、１０の界面）にドライバーを差込んで、その隙間を拡げて、中のディスクＤを引き出そうとしても、その突起（筒体５０と円筒体５１）にディスクＤが閊えて引き出すことができない。
なお、突起５０ａと爪５１ａの係止は、少し、強引に両ケース片１０ａ、１０ｂを引き離すことによって解除する。図１４中、５３は型抜き孔である。
【００４４】
また、キー２０にも、盗難防止用バーコード片６０を貼付する部分２５を設け、このバーコード６０から各種の信号を入手することによって、盗難及び各種の管理を行う。この部分２５の形成に基づき、収納部３０及びケース本体１０にはその部分２５の入る孔（開口）が形成されている。
【００４５】
立片１６は、図１６（ａ）に示すように、ピンヒンジ部の中程の位置に左右対称に設けるとともに、蓋部分１０ａ、及び底部分１０ｂにはその立片１６を納める箱状部１８を設ける。このため、同図（ｂ）に示すように、側壁片１２ｂを立てると、立片１６がその箱状部１８に納まる。箱状部１８は省略できる。
なお、立片１６が箱状部１８に嵌れば、上記爪１５が係止孔１４に係止した状態と同じになって、その機能、すなわち、側壁片１２ｂを固定して薄肉ヒンジ１２の作用をなくしてその補強を行うと共に、蓋部分１０ａの開放は、耐久性のあるピンヒンジ１３でもって行なうようにする。
【００４６】
以上の盗難防止機構、立片１６等の構成は、適宜選択的に採用でき、また、上記の図１で示す実施形態においても、適宜選択的に採用できることは勿論である。さらに、ピンヒンジ１３のピン１３ｃも、図１６（ａ）に示す割りピン１３ｃ’とすることもできる。
この実施形態のケース１は、図１１に示す積み重ねをする際には、筒体５０が突片１７の機能を果たす。
【００４７】
図１７には、係止解除具４０の他例を示し、この例は、磁石４２を設けた部分４５を上下動可能にしたものである。その可動部材４５は、同図に示すように、両側縁に全長に亘るガイド４６を有し、このガイド４６が基材４７の凹部４８に上下動自在に嵌り、バネ４９によって上方に付勢されたものである。バネ４９に代えて、ゴム等の各種の弾性体を採用することができる。また、可動部材４５の前部４５ａは円弧状に徐々に低くされており、同図（ａ）に示すように、常時は、可動部材４５はディスクケース１の固定摺動面４７ａより上位にある。図中、４９ａは、バネ４９を装填した後、その孔を塞ぐ、ねじ状ばね押えである。
このため、同図（ｂ）、（ｃ）に示すように、ディスクケース１をその前部４５ａから押しながら移動すると、その可動部材４５が下動して、ガイド４１によって確実に案内されるとともに、ガイド４３によって、キー２０が引き出される。これと共に、磁石４２によって、解錠がなされる（図８各図参照）。このとき、ディスクケース１は、バネ４９でもって磁石４２に圧接させられた状態で、摺動するため、コロ３２を円滑に移動させることができて（接点ズレが無く）、解錠作用が確実となる。
【００４８】
上記各実施形態では、対のコロ３２及び弾性爪片３１を２対設けたが、一方のコロ３２及び弾性爪片３１の片方のみでも，この発明を構成でき、また、３個以上のコロ３２等でもっても、同様な構成でもってキー２０のロック機構を構成できる。このとき、係止解除具４０の磁石４２の帯状配置はそのコロ３２の数に応じたものとする。
また、各磁石４２の間隔は、コロ３２を移動させ得る限りにおいて任意である。さらに、磁石４２は間欠的でなくても、図１８に示すように、連続する帯状のもの（帯磁石）としたり、その帯状磁石４２は一条としたりすることができる。さらに、磁石４２の帯状長さは、図１７に示すように、解錠し得た時点で終了するようにしても良い。
【００４９】
因みに、上記各実施形態のディスクケース１は、レンタル展示用であって、貸し出す際には、貸し出し用ケースにディスクＤを入れ直して貸し出す。このため、各盗難防止機構の解除は店側で行うこととなる。但し、この各実施形態のディスクケース１を貸し出し用とすることができることは勿論である。
【図面の簡単な説明】
【００５０】
【図１】（ａ）はディスクケースの一実施形態の蓋開放状態斜視図、同（ｂ）は同蓋を閉じた状態斜視図
【図２】（ａ）は同実施形態の蓋を除去した平面図、同（ｂ）は一部省略切断正面図
【図３】同実施形態の一部切断要部斜視図
【図４】同実施形態の要部分解斜視図
【図５】同実施形態の要部斜視図
【図６】同実施形態のヒンジ部の作用図、一部切断図
【図７】同実施形態のロック作用図
【図８ａ】同実施形態のロック解除作用図であり、（ａ）は斜視図、（ｂ）は要部作用断面図
【図８ｂ】同実施形態のロック解除作用図であり、（ａ）は斜視図、（ｂ）は要部作用断面図
【図８ｃ】同実施形態のロック解除作用図であり、（ａ）は斜視図、（ｂ）は要部作用断面図
【図９】同実施形態のロック解除作用図
【図１０】同実施形態の他の解除作用図
【図１１】同実施形態の積み重ね・梱包状態図
【図１２】（ａ）はディスクケースの他の実施形態の蓋開放状態斜視図、同（ｂ）は同蓋を閉じた状態斜視図
【図１３】同実施形態の蓋を除去した平面図
【図１４】同実施形態の要部断面図
【図１５】同実施形態の要部分解斜視図
【図１６】同実施形態の要部斜視図
【図１７】ロック解除具の他例の斜視図
【図１８】ロック解除具の他例の斜視図
【符号の説明】
【００５１】
１  ディスクケース
１０  ケース本体
１０ａ  蓋部分（蓋側ケース片）
１０ｂ  底部分（収納側ケース片）
１１  側壁
１１ａ  側壁片
１２  薄肉ヒンジ
１３  ピンヒンジ
１４  底部分（収納側ケース）の係止孔
１５  蓋部分（蓋側ケース）の係止片
１６  立片
１６ａ  立片の突起
１６ｂ  突起嵌合用係止孔
１７  蓋部分の突片
２０  キー
２０ａ  弾性爪片の爪と係止するキーの爪
２１  フック爪と係止するキー爪
２２  フック爪
３０  収納部
３１  弾性爪片
３１ａ  弾性爪片の爪
３２  コロ
４０  係止解除具
４１  ディスクケース案内用ガイド
４２  磁石
４３  キー引き出し用ガイド
４５  可動部材
４９  バネ（弾性体）
Ｄ  ディスク
【図１】
0005140457.tif 000002
【図２】
0005140457.tif 000003
【図３】
0005140457.tif 000004
【図４】
0005140457.tif 000005
【図５】
0005140457.tif 000006
【図６】
0005140457.tif 000007
【図７】
0005140457.tif 000008
【図８ａ】
0005140457.tif 000009
【図８ｂ】
0005140457.tif 000010
【図８ｃ】
0005140457.tif 000011
【図９】
0005140457.tif 000012
【図１０】
0005140457.tif 000013
【図１１】
0005140457.tif 000014
【図１２】
0005140457.tif 000015
【図１３】
0005140457.tif 000016
【図１４】
0005140457.tif 000017
【図１５】
0005140457.tif 000018
【図１６】
0005140457.tif 000019
【図１７】
0005140457.tif 000020
【図１８】
0005140457.tif 000021